(57)【要約】【課題】部品点数減によるコストの削減を図りながら、組付性の良さを発揮し得るバスバモジュールの樹脂ケースを提供すること。【解決手段】バスバ収容部２２及び電線収容部２３と、第１ヒンジ４５により回動する第１カバー４２と、第１カバーの第１ヒンジと反対側の先端縁に第２ヒンジ４６により回動可能に結合された第２カバー４３と、第１カバーが閉位置にある状態で第２カバーを開位置に自立姿勢で仮係止し、その状態で第２カバーが閉方向に回動操作されることにより仮係止を解除する仮係止リブ５１及び仮係止斜面５２と、を一体に有する。【選択図】図４
2018206672.tif 000002
【特許請求の範囲】
【請求項１】
上面開口を有し、内部に、電池集合体の隣接する電池の電極間を接続するバスバが収容されるバスバ収容部と、
上面開口を有し、前記バスバ収容部に隣接配置されて結合され、内部に、前記バスバにそれぞれ電気的に接続される電線が収容される電線収容部と、
前記電線収容部の前記バスバ収容部と反対側の部分に第１ヒンジにより回動可能に結合され、閉方向の回動操作により前記電線収容部の上面開口を閉塞する第１カバーと、
前記第１カバーの前記第１ヒンジと反対側の先端縁に第２ヒンジにより回動可能に結合され、前記第１カバーが閉位置にある状態で閉方向に回動操作されることにより、前記バスバ収容部の上面開口を閉塞する第２カバーと、
前記第１カバーが閉位置にある状態で前記第２カバーを開位置に自立姿勢で仮係止し、その状態で前記第２カバーが閉方向に回動操作されることにより仮係止を解除する仮係止手段と、
前記第１カバー及び前記第２カバーを閉位置にロックするロック手段と、
を一体の樹脂成形品として備える、
ことを特徴とするバスバモジュールの樹脂ケース。
【請求項２】
請求項１に記載のバスバモジュールの樹脂ケースであって、
前記仮係止手段は、
前記第２カバーに突設された可撓性の仮係止リブと、
前記バスバ収容部に設けられ、前記第１カバーが閉位置にある状態で前記仮係止リブの先端が乗ることにより前記第２カバーを開位置に自立姿勢で仮係止し、その状態で前記第２カバーが閉方向に回動操作されることにより、前記仮係止リブの先端を滑らせて前記仮係止状態を解除し、前記第２カバーの閉方向の回動を許容する仮係止斜面と、
を含む、
ことを特徴とするバスバモジュールの樹脂ケース。
【請求項３】
直線的に配列された複数の電池よりなる電池集合体の前記電池が直列接続されるように、隣接する前記電池の正極と負極との間を電気的に接続する複数のバスバと、
前記各バスバを介してそれぞれ前記正極または負極に電気的に接続される複数の電圧検出線と、
少なくとも１つの前記バスバと前記複数の電圧検出線を収容する樹脂ケースと、
を備え、
前記樹脂ケースとして請求項１または２に記載の樹脂ケースが用いられており、
前記樹脂ケースの前記バスバ収容部に前記バスバが収容され、
前記樹脂ケースの前記電線収容部に前記複数の電圧検出線が収容されている、
ことを特徴とするバスバモジュール。
【請求項４】
直線的に配列された複数の電池で構成された電池集合体と、
前記電池集合体に重ねて取り付けられると共に前記各電池を互いに電気的に接続するバスバモジュールと、
を備える電源装置において、
前記バスバモジュールとして、請求項３に記載のバスバモジュールを有している、
ことを特徴とする電源装置。
【発明の詳細な説明】
【技術分野】
【０００１】
本発明は、ハイブリッド自動車や電気自動車などに用いられる電源装置を構成するバスバモジュールの樹脂ケース、該樹脂ケースを含むバスバモジュール、及び、該バスバモジュールを含む電源装置に関する。
【背景技術】
【０００２】
例えば、電動モータを用いて走行する電気自動車や、エンジンと電動モータとを併用して走行するハイブリッド自動車等の各種車両には、電動モータの動力源として電源装置が搭載されている。この種の電源装置は、一端に正の電極（以下「正極」と記す）、他端に負の電極（以下「負極」と記す）を有する複数の電池を、正極と負極とが交互に隣り合うように直線的に配列した電池集合体を備えている。この電池集合体には、電極が設けられた面に重ねられるように、特許文献１に示すようなバスバモジュールが設けられている。
【０００３】
バスバモジュールは、複数のバスバと、複数の電圧検出端子と、複数の電圧検出線と、樹脂ケースと、を備えている。複数のバスバは、複数の電池が直列接続されるように、電池集合体の隣接する電池の正極と負極を電気的に接続する。電圧検出線は、バスバに重ねられる電圧検出端子を介して、電池の電極に電気的に接続される。
【０００４】
樹脂ケースには、バスバ及び電圧検出端子を収容するバスバ収容部と、電圧検出線を収容する電線収容部とが設けられている。また、樹脂ケースには、電圧検出線の配索を終了した後に、電線収容部の上面開口を塞ぐ電線収容部カバーがヒンジで回動自在に設けられている。そして、バスバ収容部に収容したバスバ及び電圧検出端子を電池の電極にボルト・ナット等で締結した後に、カバーが被せられる。即ち、樹脂ケースとは別体に設けられたバスバ収容部カバーで、バスバ収容部の上面開口を覆うことが行われている。
【０００５】
このように、従来では、電線収容部カバーを樹脂ケースにヒンジで結合したものは多くあるが、バスバ収容部カバーは、樹脂ケースと別体に用意されていることが多い。別体の場合は、部品点数が増える分だけコスト増になりやすい。
【０００６】
一方、特許文献２には、バスバ収容部を覆うカバーを樹脂ケースの本体部にヒンジで一体に結合した例が示されている。従って、電線収容部カバーと同様に、バスバ収容部カバーも共に、樹脂ケースの本体部にヒンジを介して一体に結合することが考えられる。
【先行技術文献】
【特許文献】
【０００７】
【特許文献１】特開２０１４−２３３１５９号公報
【特許文献２】特開２０１５−１４９１８５号公報
【発明の概要】
【発明が解決しようとする課題】
【０００８】
しかし、単純にバスバ収容部カバーも、電線収容部カバーと同様に、樹脂ケースの本体部にヒンジで結合するだけでは、部品点数は減らせても、組付工程を容易に進める上では課題が残る。
【０００９】
本発明は、上述した事情に鑑みてなされたものであり、その目的は、部品点数減によるコストの削減を図りながら、組付性の良さを発揮し得るバスバモジュールの樹脂ケースを提供することにある。併せて、本発明の目的は、前記樹脂ケースを含むバスバモジュール、及び該バスバモジュールを含む電源装置を提供することにある。
【課題を解決するための手段】
【００１０】
前述した目的を達成するために、本発明に係るバスバモジュールの樹脂ケース、バスバモジュール、及び電源装置は、下記（１）〜（４）を特徴としている。
（１）  上面開口を有し、内部に、電池集合体の隣接する電池の電極間を接続するバスバが収容されるバスバ収容部と、
上面開口を有し、前記バスバ収容部に隣接配置されて結合され、内部に、前記バスバにそれぞれ電気的に接続される電線が収容される電線収容部と、
前記電線収容部の前記バスバ収容部と反対側の部分に第１ヒンジにより回動可能に結合され、閉方向の回動操作により前記電線収容部の上面開口を閉塞する第１カバーと、
前記第１カバーの前記第１ヒンジと反対側の先端縁に第２ヒンジにより回動可能に結合され、前記第１カバーが閉位置にある状態で閉方向に回動操作されることにより、前記バスバ収容部の上面開口を閉塞する第２カバーと、
前記第１カバーが閉位置にある状態で前記第２カバーを開位置に自立姿勢で仮係止し、その状態で前記第２カバーが閉方向に回動操作されることにより仮係止を解除する仮係止手段と、
前記第１カバー及び前記第２カバーを閉位置にロックするロック手段と、
を一体の樹脂成形品として備える、
バスバモジュールの樹脂ケース。
（２）  上記（１）の構成のバスバモジュールの樹脂ケースであって、
前記仮係止手段は、
前記第２カバーに突設された可撓性の仮係止リブと、
前記バスバ収容部に設けられ、前記第１カバーが閉位置にある状態で前記仮係止リブの先端が乗ることにより前記第２カバーを開位置に自立姿勢で仮係止し、その状態で前記第２カバーが閉方向に回動操作されることにより、前記仮係止リブの先端を滑らせて前記仮係止状態を解除し、前記第２カバーの閉方向の回動を許容する仮係止斜面と、
を含む、
バスバモジュールの樹脂ケース。
（３）  直線的に配列された複数の電池よりなる電池集合体の前記電池が直列接続されるように、隣接する前記電池の正極と負極との間を電気的に接続する複数のバスバと、
前記各バスバを介してそれぞれ前記正極または負極に電気的に接続される複数の電圧検出線と、
少なくとも１つの前記バスバと前記複数の電圧検出線を収容する樹脂ケースと、
を備え、
前記樹脂ケースとして上記（１）または（２）の構成の樹脂ケースが用いられており、
前記樹脂ケースの前記バスバ収容部に前記バスバが収容され、
前記樹脂ケースの前記電線収容部に前記複数の電圧検出線が収容されている、
バスバモジュール。
（４）  直線的に配列された複数の電池で構成された電池集合体と、前記電池集合体に重ねて取り付けられるとともに前記各電池を互いに電気的に接続するバスバモジュールと、
を有する電源装置において、
前記バスバモジュールとして、上記（３）に記載のバスバモジュールを有している、
電源装置。
【００１１】
上記（１）の構成のバスバモジュールの樹脂ケースによれば、電線収容部の上面開口を第１カバーで閉じた後に、バスバ収容部を閉塞する第２カバーの閉じ操作を別個に行うことができる。具体的な工程の順序としては、まず、樹脂ケースのバスバ収容部にバスバを組み付ける。併せて、電圧検出線を配索して、樹脂ケースの電線収容部に電圧検出線を収容する。次いで、その状態で、電線収容部からの電圧検出線の飛び出しを防止するために、第１カバーだけを閉じる。このとき、次の工程でバスバを電池に固定するため、第２カバーは、仮係止手段によって、開いた状態に自立姿勢で仮係止しておく。次にバスバ収容部の上面開口を通してバスバを電池の電極に固定する。この工程を終えたら、第２カバーを閉じ方向へ回動操作する。そうすると、仮係止手段による仮係止状態が自動的に解除されて、第２カバーの閉じ方向への回動操作が可能になる。そして、第２カバーを閉じ方向に回動操作することにより、バスバ収容部の上面開口を第２カバーで覆うことができる。それにより、バスバと電極の固定部を絶縁保護して感電等を防止することができる。
このように、バスバモジュールの電池へ組付時（バスバの電池への固定時）には、電線収容部を覆う第１カバーを閉じた状態にしておくことができる。そのため、樹脂ケースの幅を小さい状態にして、バスバモジュールを電池に組み付けることができる。従って、樹脂ケースが電池に干渉することによって、バスバモジュールの組付作業性が損なわれるようなことがない。また、バスバモジュールの電池へ組付時に、電線収容部を覆う第１カバーを閉じた状態にしながら、バスバ収容部を覆う第２カバーを自立姿勢で開いた状態に保っておくことができる。そのため、バスバを電池の電極にボルト・ナット等で締結する組付作業を容易に進めることができる。
また、電線収容部を閉塞する第１カバーの先端に、バスバ収容部を閉塞する第２カバーを一体に設けている。そのため、バスバ収容部のカバーを樹脂ケースと別体で設ける場合に比べて、部品点数の削減によるコスト低減を図ることができる。また、第１カバーの先端にヒンジを介して第２カバーを連結した構成にするだけであるので、構造が簡単であり、成形コストの低減が図れて、コスト低減に寄与することができる。また、第１カバーと第２カバーが一体のカバーとして構成されているので、カバーを全開した状態で、カバーに邪魔されずに、バスバに電気的に接続された電圧検出線の配索を行うことができる。
上記（２）の構成のバスバモジュールの樹脂ケースによれば、仮係止リブと仮係止斜面が係合することによって、第２カバーを開位置に自立姿勢で仮保持しておくことができる。また、その状態で第２カバーを閉じ方向に回動操作することにより、仮係止リブの先端を仮係止斜面に沿って滑らせることができ、仮係止を解除することができる。従って、簡単な構成及び簡単な操作で、第２カバーの仮係止と仮係止の解除を行うことができ、コスト低減に寄与することができる。
上記（３）の構成のバスバモジュールによれば、上記（１）または（２）の構成の樹脂ケースを用いたことにより、上述の作用効果を得ることができる。
上記（４）の構成の電源装置によれば、上記（３）の構成のバスバモジュールを用いたことにより、上述の作用効果を得ることができる。
【発明の効果】
【００１２】
本発明によれば、部品点数減によるコストの削減を図りながら、組付性の良さを発揮することができる。
【００１３】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１４】
【図１】図１は、本発明の実施形態の電源装置の部分外観斜視図である。
【図２】図２は、本発明の実施形態のバスバモジュールの部分分解斜視図である。
【図３】図３は、本発明の実施形態の樹脂ケースのカバー全開時の断面図である。
【図４】図４は、本発明の実施形態の樹脂ケースの第１カバー閉塞時の断面図で、（ａ）は全体図、（ｂ）は（ａ）のＡ１部の拡大図である。
【図５】図５は、本発明の実施形態の樹脂ケースの第１カバー及び第２カバーの閉塞時の断面図で、（ａ）は全体図、（ｂ）は（ａ）のＡ２部の拡大図である。
【図６】図６は、比較例の電源装置の部分分解斜視図である。
【図７】図７は、比較例の電源装置の部分外観斜視図である。
【図８】図８は、比較例のバスバモジュールの部分外観斜視図である。
【図９】図９は、別の比較例の概略断面図である。
【図１０】図１０は、さらに別の比較例の概略断面図である。
【図１１】図１１は、さらに別の比較例の概略断面図である。
【発明を実施するための形態】
【００１５】
本発明に関する具体的な実施形態について、各図を参照しながら以下に説明する。
以下、本実施形態に係るバスバモジュールの樹脂ケース、バスバモジュール、及び電源装置を、図面を参照して説明する。図１は、本実施形態に係る電源装置の部分外観斜視図、図２は、バスバモジュールの部分分解斜視図である。図３は、樹脂ケースのカバー全開時の断面図、図４は、樹脂ケースの第１カバー閉塞時の断面図で、（ａ）は全体図、（ｂ）は（ａ）のＡ１部の拡大図である。図５は、樹脂ケースの第１カバー及び第２カバーの閉塞時の断面図で、（ａ）は全体図、（ｂ）は（ａ）のＡ２部の拡大図である。また、図６は、比較例の電源装置の部分分解斜視図、図７は、比較例の電源装置の部分外観斜視図、図８は、比較例のバスバモジュールの部分外観斜視図である。なお、説明の便宜上、各図において、矢印Ｘ、矢印Ｙ、及び矢印Ｚを用いて、各部材の配設方向等を示す。これら矢印Ｘ、矢印Ｙ、及び矢印Ｚは互いに直交している。
【００１６】
図１に示す電源装置１は、電池集合体２と、この電池集合体２に重ねて取り付けられるバスバモジュール１０と、を備えている。この電源装置１は、電動モータを用いて走行する電気自動車や、エンジンと電動モータを併用して走行するハイブリッド自動車等に搭載されて用いられ、電動モータに動力を供給するものである。
【００１７】
電池集合体２は、一方向（矢印Ｘ方向）に沿って直線的に一列に配列され且つ互いに固定された複数の電池３で構成されている。電池集合体２の構成は、図６の比較例と同じであるので、図６を用いて説明する。各電池３は、直方体状の電池本体の上面の一端及び他端に一対の電極４Ａ、４Ｂを備えている。一対の電極４Ａ、４Ｂのうち一方の電極は正極４Ａ、他方の電極は負極４Ｂである。一対の電極４Ａ、４Ｂは、それぞれ、導電性の金属により円柱状に形成されている。各電池３は、一対の電極４Ａ、４Ｂを備える面（上面）を上に向け、隣り合う電池３が互いに接するように配列されている。しかも、１つの電池３の正極４Ａと隣接する他の電池３の負極４Ｂとが交互に隣り合うように配列されている。従って、矢印Ｙ方向の一端側及び他端側においてそれぞれ、矢印Ｘ方向に沿って正極４Ａと負極４Ｂが交互に並んでいる。
【００１８】
図１及び図２に示すバスバモジュール１０は、前述した複数の電池３を直列に接続するものである。バスバモジュール１０は、バスバ１１と、電圧検出端子１２と、電圧検出線（電線）１３と、樹脂ケース２０と、を備えている。ここで、樹脂ケース２０は、４個の電池３に対応するサイズを１つの単位Ｎとして形成され、この単位Ｎの大きさの樹脂ケース２０を順次連結することで、全部の電池３に対応する大きさに構成されている。
【００１９】
バスバ１１は、電池集合体２の互いに隣り合う電池３の正極４Ａと負極４Ｂ（図６参照）とに取り付けられることで、これら各電池３を直列に接続する。バスバ１１は、導電性の金属板にプレス加工が施されるなどして得られるものであり、略長方形板状の金属板に、互いに隣り合う電池３の正極４Ａ及び負極４Ｂが通される一対の孔１１ａを有する。これら一対の孔１１ａは、バスバ１１の長手方向（Ｘ方向）に沿って、互いに隣り合う電池３の正極４Ａ及び負極４Ｂと同じ間隔をあけて配置されている。また、バスバ１１は、孔１１ａに通された正極４Ａ及び負極４Ｂにナット（図示なし）が螺合されることで、電池３に取り付けられると共に、該正極４Ａ及び該負極４Ｂに電気的に接続される。
【００２０】
電圧検出端子１２は、対応するバスバ１１に重ねて配置されて、該バスバ１１を介して互いに隣り合う電池３０の正極４Ａ及び負極４Ｂに接続される。電圧検出端子１２は、導電性の金属板にプレス加工が施されるなどして得られるものであり、バスバ接続部１２ａと、電線取付部１２ｂと、を備えている。
【００２１】
バスバ接続部１２ａは、バスバ１１に重ねられて該バスバ１１と電気的に接続される部位であり、その中央部には、１つの孔１２ｃが設けられている。孔１２ｃは、バスバ１１の一対の孔１１ａの一方と重ねられて、電池３の正極４Ａまたは負極４Ｂが通される。バスバ接続部１２ａは、バスバ１１に重ねられた状態で上記ナットによって電池３に取り付けられる。
【００２２】
電線取付部１２ｂは、バスバ接続部１２ａから平行に延設されており、先端部分に電圧検出線１３が電気的に接続されている。従って、電圧検出線１３は、バスバ１１を介して各電池３の正極４Ａ及び負極４Ｂに接続されている。電圧検出線１３は、図示しないＥＣＵ（Electronic Control Unit）が備える電圧検出回路に接続される。そして、該ＥＣＵが、電圧検出回路によって検出された各電池３における一対の電極４Ａ、４Ｂとの電位差（電圧）に基づいて、各電池３の残量や充放電状態等を検出する。なお、電圧検出線１３は周知の被覆電線であり、先端の絶縁被覆が皮剥きされて露出した芯線が電圧検出端子１２に加締められている。
【００２３】
樹脂ケース２０は、上述したバスバ１１及び電圧検出端子１２や電圧検出線１３を収容保持するもので、合成樹脂の一体成形品で構成されている。ここでは、４個の電池３に対応する１つの単位Ｎの樹脂ケース２０には、２つのバスバ１１と２つの電圧検出端子１２が収容される。バスバ１１は、４個並んだ電池３のうち、それぞれ隣り合う２個の電池３の正極４Ａと負極４Ｂに跨がって配置される。図２中のＮ１は、各１個のバスバ１１がそれぞれ配置される単位（２個の電池３に対応）を示している。
【００２４】
図３に断面を示すように、樹脂ケース２０は、ケース本体２１とカバー４１をヒンジ（第１ヒンジ４５）を介して一体に連結した構造を有している。ケース本体２１には、バスバ収容部２２と、電線収容部２３と、バスバ収容部２２及び電線収容部２３を連結する連結部２４と、が設けられている。バスバ収容部２２には、バスバ１１及び電圧検出端子１２が収容される。電線収容部２３には、電圧検出線１３が収容される。カバー４１には、第１カバー４２と、第２カバー４３と、第１カバー４２及び第２カバー４３を連結するヒンジ（第２ヒンジ４６）と、が設けられている。また、ケース本体２１とカバー４１との間には、後述する仮係止手段とロック手段とが設けられている。
【００２５】
樹脂ケース２０のバスバ収容部２２は、バスバ１１や電圧検出端子１２が載置される底壁３１と、底壁３１のＹ方向両端縁から起立する一対の側壁３２、３３とを有する。一対の側壁３２、３３は、電池３の配列方向（図２中のＸ方向）に沿うように設けられており、一対の側壁３２、３３間の上方には上面開口２２ａが設けられている。
【００２６】
樹脂ケース２０の電線収容部２３は、電圧検出線１３の束が収容される樋状の部分で、底壁３４と、底壁３４のＹ方向両端縁から起立する一対の側壁３５、３６とを有する。一対の側壁３５、３６は、電池３の配列方向（図２中のＸ方向）に沿うように設けられており、一対の側壁３５、３６間の上方には上面開口２３ａが設けられている。
【００２７】
樹脂ケース２０の連結部２４は、隣接して配置されたバスバ収容部２２及び電線収容部２３の隣り合う側壁３３、３５を連結するものである。この連結部２４には、電圧検出端子１２の電線取付部１２ｂと電圧検出線１３との接続部分を収容する図示略の溝部が設けられている。そして、この溝部に、上方から前記接続部分を挿入できるようになっている。
【００２８】
樹脂ケース２０のカバー４１は、電線収容部２３からバスバ収容部２２までを覆うことのできる大きさの屈曲可能な矩形状の板体として形成されている。このカバー４１は、ヒンジ（第２ヒンジ４６）で連結された第１カバー４２と第２カバー４３とを有している。第１カバー４２は、電線収容部２３のバスバ収容部２２と反対側の側壁３６の上端に第１ヒンジ４５により、図４中矢印Ａのように回動可能に結合されている。そして、第１カバー４２は、閉方向の回動操作により電線収容部２３の上面開口２３ａを閉塞する。第２カバー４３は、第１カバー４２の第１ヒンジ４５と反対側の先端縁に第２ヒンジ４６により、図４中矢印Ｂのように回動可能に結合されている。そして、第１カバー４２が閉位置にある状態で閉方向に回動操作されることにより、バスバ収容部２２の上面開口２２ａを閉塞する。
【００２９】
第２カバー４３の第２ヒンジ４６の近傍と、それに対応するバスバ収容部２２の連結部２４側の側壁３３の上端には、仮係止手段として、可撓性の仮係止リブ５１と仮係止斜面５２とがそれぞれ設けられている。仮係止リブ５１及び仮係止斜面５２は、図４に示すように、第１カバー４２が閉位置にある状態のとき、バスバ収容部２２を上面開口２２ａを開放するために、第２カバー４３を開位置に自立姿勢で仮係止する。また、仮係止リブ５１及び仮係止斜面５２は、図５に示すように、仮係止の状態で第２カバー４３が閉方向（矢印Ｂ方向）に回動操作されることにより、仮係止を解除する。
【００３０】
即ち、仮係止リブ５１及び仮係止斜面５２は、図４に示すように、第１カバー４２が閉位置にある状態で仮係止リブ５１の先端が仮係止斜面５２に乗ることにより、第２カバー４３を開位置に自立姿勢で仮係止する。またその状態で、第２カバー４３が閉方向に回動操作されることにより、図５（ｂ）中矢印Ｃで示すように、仮係止リブ５１の先端を仮係止斜面５２で滑らせて仮係止状態を解除する。そして、第２カバー４３の閉方向の回動を可能にする。
【００３１】
また、樹脂ケース２０のケース本体２１とカバー４１との間には、ロック手段として、互いに係合する第１〜第３の被ロック部３７、３８、３９とロック部４７、４８、４９の組が設けられている。
【００３２】
第１の被ロック部３７とロック部４７の組は、第１カバー４２が電線収容部２３の上面開口２３ａを閉塞したとき、第１カバー４２の第１ヒンジ４５に近い部分を拘束する。そのため、第１の被ロック部３７とロック部４７は、第１ヒンジ４５に近い、電線収容部２３のバスバ収容部２２とは反対側の側壁３６の上端と、第１カバー４２の基端部とにそれぞれ設けられている。
【００３３】
第２の被ロック部３８とロック部４８の組は、第１カバー４２が電線収容部２３の上面開口２３ａを閉塞したとき、第１カバー４２の第２ヒンジ４６に近い部分を拘束する。そのため、第２の被ロック部３８とロック部４８は、第２ヒンジ４６に近い、電線収容部２３のバスバ収容部２２側の側壁３５の上端と、第１カバー４２の先端部とに設けられている。
【００３４】
第３の被ロック部３９とロック部４９の組は、第２カバー４３がバスバ収容部２２の上面開口２２ａを閉塞したとき、第２カバー４３の先端部を拘束する。そのため、第３の被ロック部３９とロック部４９は、バスバ収容部２２の電線収容部２３とは反対側の側壁３２の上端と、第２カバー４３の先端部とに設けられている。
【００３５】
次に作用を説明する。
この樹脂ケース２０を使用した場合、図４及び図５に示すように、電線収容部２３の上面開口２３ａを第１カバー４２で閉じた後に、バスバ収容部２２を閉塞する第２カバー４３の閉じ操作を別個に行うことができる。
【００３６】
具体的な工程の順序としては、まず、樹脂ケース２０のバスバ収容部２２に、バスバ１１及び電圧検出端子１２を組み付ける。併せて、電圧検出線１３を配索して、樹脂ケース２０の電線収容部２３に電圧検出線１３を収容する。次いで、その状態で、電線収容部２３からの電圧検出線１３の飛び出しを防止するために、図４に示すように、矢印Ａの方向に回動させて第１カバー４２だけを閉じる。
【００３７】
このとき、第１の被ロック部３７とロック部４７が互いに係合すると共に、第２の被ロック部３８とロック部４８が互いに係合し、第１カバー４２が閉位置にロックされる。また、次の工程でバスバ１１を電池３に固定するために、第２カバー４３は、仮係止手段（仮係止リブ５１及び仮係止斜面５２）によって、開いた状態に自立姿勢で仮係止される。即ち、仮係止リブ５１の先端が仮係止斜面５２に乗ることによって、第２カバー４３が開位置に自立姿勢で仮保持される。
【００３８】
次に、この状態で、バスバ収容部２２の上面開口２２ａを通してバスバ１１を電池３の電極４Ａ、４Ｂにナットで固定する。この工程を終えたら、第２カバー４３を閉じ方向（図５中矢印Ｂ方向）へ回動操作する。そうすると、仮係止手段（仮係止リブ５１及び仮係止斜面５２）による仮係止状態が自動的に解除されて、第２カバー４３の閉じ方向への回動操作が可能になる。即ち、図４に示す状態で第２カバー４３を閉じ方向に回動操作すると、仮係止リブ５１の先端が仮係止斜面５２に沿って滑る。これにより、仮係止が解除されて、第２カバー４３の閉じ方向への回動操作が可能になる。
【００３９】
そして、第２カバー４３を閉じ方向に回動操作することにより、バスバ収容部２２の上面開口２２ａを第２カバー４３で覆うことができる。このとき、第３の被ロック部３９とロック部４９が互いに係合することにより、第２カバー４３が閉位置にロックされる。それにより、バスバ１１と電極４Ａ、４Ｂの固定部が絶縁保護されて感電等が防止される。
【００４０】
このように、バスバモジュール１０の電池３へ組付時（バスバ１１の電池３への締結時）には、電線収容部２３を覆う第１カバー４２を閉じた状態にしておくことができる。そのため、樹脂ケース２０の幅を小さい状態にして、バスバモジュール１０を電池３に組み付けることができる。従って、樹脂ケース２０が電池３に干渉することによって、バスバモジュール１０の組付作業性が損なわれるようなことがない。
【００４１】
また、バスバモジュール１０の電池３へ組付時に、電線収容部２３を覆う第１カバー４２を閉じた状態にしながら、バスバ収容部２２を覆う第２カバー４３を自立姿勢で開いた状態に保っておくことができる。そのため、バスバ１１を電池３の電極４Ａ、４Ｂにナットで締結する組付作業を容易に進めることができる。
【００４２】
また、電線収容部２３を閉塞する第１カバー４２の先端に、バスバ収容部２２を閉塞する第２カバー４３を一体に設けている。そのため、バスバ収容部２２のカバーを樹脂ケースと別体で設ける場合（後述の比較例）に比べて、部品点数の削減によるコスト低減を図ることができる。
【００４３】
また、第１カバー４２の先端にヒンジ（第２ヒンジ４６）を介して第２カバー４３を連結した構成にするだけであるので、構造が簡単であり、成形コストの低減が図れて、コスト低減に寄与することができる。
【００４４】
また、第１カバー４２と第２カバー４３が一枚の板体状のカバー４１として構成されているので、カバー４１を全開した状態で、カバー４１に邪魔されずに、バスバ１１に電気的に接続された電圧検出線１３の配索を行うことができる。
【００４５】
また、第２カバー４３を開位置に仮保持しておく仮係止手段が、仮係止リブ５１と仮係止斜面５２で構成されている。そのため、簡単な構成及び簡単な操作で、第２カバー４３の仮係止と仮係止の解除を行うことができ、コスト低減に寄与することができる。
【００４６】
次に比較例と比べて本実施形態の利点を述べる。なお、比較例を示す各図において、本実施形態と同一構成要素については同一符号を付して説明を省略する。
【００４７】
まず、図６〜図８を参照して、比較例として示すバスバモジュール１１０について説明する。
図６は、比較例の電源装置の部分分解斜視図、図７は、比較例の電源装置の部分外観斜視図、図８は、比較例のバスバモジュールの部分外観斜視図である。
【００４８】
図６〜図８に示すように、この第１の比較例のバスバモジュール１１０の樹脂ケース１２０は、バスバ収容部１２２と、電線収容部１２３と、電線収容部カバー１４２と、ヒンジ１４５と、を一体に有している。しかし、バスバ収容部カバー１４３は、樹脂ケース１２０と別体に設けられている。このように、バスバ収容部１２２を覆うバスバ収容部カバー１４３が、樹脂ケース１２０と別体に設けられていると、それだけ部品点数が増えるので、コスト増になりやすい。
【００４９】
それに対して、本実施形態の樹脂ケース２０は、図３に示すように、電線収容部２３を覆う第１カバー４２とバスバ収容部２２を覆う第２カバー４３とを樹脂ケース２０に一体に設けている。そのため、部品点数減によるコスト低減が図れる。
【００５０】
次に、電線収容部を覆うカバーとバスバ収容部を覆うカバーとを共に樹脂ケースに一体に設けている比較例と比べた場合の本実施形態の利点を述べる。
【００５１】
図９に示す第２の比較例に係る樹脂ケース３２０では、電線収容部２３とバスバ収容部２２を一緒に覆う大きさの板状のカバー３４１を、ヒンジ３４５を介してケース本体２１に連結している。但し、電線収容部２３とバスバ収容部２２を個別に閉塞できるようにするヒンジ（本実施形態における第２ヒンジ４６）は設けられていない。この比較例の樹脂ケース３２０では、電線収容部２３をカバーで閉じた状態で、バスバ収容部２２のカバーを開いた状態にすることはできない。従って、電圧検出線１３の配索作業とバスバ１１の固定作業を個別に進める上での課題がある。
【００５２】
それに対して、本実施形態の樹脂ケース２０は、図３に示すように、電線収容部２３を覆う第１カバー４２とバスバ収容部２２を覆う第２カバー４３とを第２ヒンジ４６で回動可能に連結している。従って、電線収容部２３を第１カバー４２で閉じた状態で、バスバ収容部２２の第２カバー４３を開いた状態にすることができる。そのため、電圧検出線１３の配索作業とバスバ１１の固定作業を個別に進めやすくなる。
【００５３】
なお、この第２の比較例において、カバー３４１の中間にヒンジ（本実施形態の第２ヒンジ４６に相当）を設けることで、電線収容部２３をカバーで閉じた状態にしながら、バスバ収容部２２を開いた状態にすることは可能である。しかし、単純にヒンジ（本実施形態の第２ヒンジ４６に相当）を追加するだけでは、カバー３４１のバスバ収容部２２を覆う部分が不安定にならざるを得ない。従って、バスバモジュールの固定作業の際に、バスバ収容部２２を覆うカバー部分を開いておく余分な手間がかかる。
【００５４】
それに対して、本実施形態の樹脂ケース２０は、図４に示すように、電線収容部２３を覆う第１カバー４２を閉じた状態にしながら、バスバ収容部２２を覆う第２カバー４３を開いた状態に自立姿勢で仮保持できる。従って、バスバモジュールの固定作業の際に、バスバ収容部２２を覆う第２カバー４３を手等で開いておく余分な手間がかからない。
【００５５】
図１０に示す第３の比較例に係る樹脂ケース４２０では、電線収容部２３とバスバ収容部２２を別々に独立して覆うことのできるカバー４４２、４４３をヒンジ４４５、４４６でケース本体２１に個別に連結している。この比較例では、２つのカバー４４２、４４３を、電線収容部２３とバスバ収容部２２の互いに一番離れた側壁３６、３２にヒンジ４４５、４４６で連結し、互いに反対方向に回動することにより開閉できるようにしている。
【００５６】
この比較例では、電線収容部２３をカバーで閉じた状態にしながら、バスバ収容部２２を開いた状態にすることができる。よって、その点では本実施形態と共通の利点が得られる。しかし、バスバ収容部２２のカバー４４３と電線収容部２３のカバー４４２を互いに反対方向に回動させる構造であるから、作業スペースを確保する上で課題があると共に、成形時の金型コストがかかりやすい。
【００５７】
図１１に示す第４の比較例に係る樹脂ケース５２０では、電線収容部２３とバスバ収容部２２を別々に独立して覆うことのできるカバー５４２、５４３をヒンジ５４５、５４６でケース本体２１に個別に連結している。但し、この比較例では、電線収容部２３のカバー５４２は、電線収容部２３のバスバ収容部２２とは反対側の側壁３６の上端にヒンジ５４５で連結している。また、バスバ収容部２２のカバー５４３は、バスバ収容部２２の電線収容部２３側の側壁３３の上端にヒンジ５４６で連結している。従って、同じ方向に回動することで、両方のカバー５４２、５４３を開閉することができる。
【００５８】
この比較例でも、電線収容部２３をカバーで閉じた状態にしながら、バスバ収容部２２を開いた状態にすることができる。よって、その点では本実施形態と共通の利点が得られる。また、バスバ収容部２２のカバー５４３と電線収容部２３のカバー５４２を同じ方向に回動させる構造であるから、作業スペースを確保する上での問題も解消される。但し、成形時の金型コストがかかりやすい問題がある。
【００５９】
また、バスバ収容部２２と電線収容部２３の隣接する側壁３３、３５同士を繋ぐ連結部２４には、電圧検出端子１２の電線取付部１２ｂを上方から挿入する溝部がある。そのため、側壁３３にヒンジ５４６を介してカバー５４３が結合されていると、溝部に電圧検出端子１２の電線取付部１２ｂを上方から挿入できなくなる可能性がある。従って、この比較例のように構成することは、組付作業を行う上で、別の問題を生じる可能性があり、好ましくない。
【００６０】
その点、本実施形態の樹脂ケース２０では、電圧検出線１３の配索時には、電線収容部２３及びバスバ収容部２２の上方を開放しておくことができるので、組付を行う上での上述の問題は起こらない。
【００６１】
以上説明したように、本実施形態によれば、部品点数減によるコストの削減を図りながら、組付性の良さを発揮することができる。
【００６２】
ここで、上述した本発明に係るバスバモジュールの樹脂ケース、バスバモジュール、及び電源装置の実施形態の特徴をそれぞれ以下［１］〜［４］に簡潔に纏めて列記する。
［１］
上面開口（２２ａ）を有し、内部に、電池集合体（２）の隣接する電池（３）の電極（４Ａ、４Ｂ）間を接続するバスバ１１が収容されるバスバ収容部２２と、
上面開口（２３ａ）を有し、前記バスバ収容部（２２）に隣接配置されて結合され、内部に、前記バスバ（１１）にそれぞれ電気的に接続される電線（電圧検出線１３）が収容される電線収容部（２３）と、
前記電線収容部（２３）の前記バスバ収容部（２２）と反対側の部分に第１ヒンジ（４５）により回動可能に結合され、閉方向の回動操作により前記電線収容部（２３）の上面開口（２３ａ）を閉塞する第１カバー（４２）と、
前記第１カバー（４２）の前記第１ヒンジ（４５）と反対側の先端縁に第２ヒンジ（４６）により回動可能に結合され、前記第１カバー（４２）が閉位置にある状態で閉方向に回動操作されることにより、前記バスバ収容部（２２）の上面開口（２２ａ）を閉塞する第２カバー（４３）と、
前記第１カバー（４２）が閉位置にある状態で前記第２カバー（４３）を開位置に自立姿勢で仮係止し、その状態で前記第２カバー（４３）が閉方向に回動操作されることにより仮係止を解除する仮係止手段（仮係止リブ５１及び仮係止斜面５２）と、
前記第１カバー（４２）及び前記第２カバー（４３）を閉位置にロックするロック手段（被ロック部３７、３８、３９及びロック部４７、４８、４９）と、
を一体の樹脂成形品として備える、
ことを特徴とするバスバモジュールの樹脂ケース（２０）。
［２］
上記［１］に記載のバスバモジュールの樹脂ケース（２０）であって、
前記仮係止手段は、
前記第２カバー（４３）に突設された可撓性の仮係止リブ（５１）と、
前記バスバ収容部（２２）に設けられ、前記第１カバー（４２）が閉位置にある状態で前記仮係止リブ（５１）の先端が乗ることにより前記第２カバー（４３）を開位置に自立姿勢で仮係止し、その状態で前記第２カバー（４３）が閉方向に回動操作されることにより、前記仮係止リブ（５１）の先端を滑らせて前記仮係止状態を解除し、前記第２カバー（４３）の閉方向の回動を許容する仮係止斜面（５２）と、
を含む、
ことを特徴とするバスバモジュールの樹脂ケース（２０）。
［３］
直線的に配列された複数の電池（３）よりなる電池集合体（２）の前記電池（３）が直列接続されるように、隣接する前記電池（３）の正極（４Ａ）と負極（４Ｂ）との間を電気的に接続する複数のバスバ（１１）と、
前記各バスバ（１１）を介してそれぞれ前記正極（４Ａ）または負極（４Ｂ）に電気的に接続される複数の電圧検出線（１３）と、
少なくとも１つの前記バスバ（１１）と前記複数の電圧検出線（１３）を収容する樹脂ケース（２０）と、
を備え、
前記樹脂ケース（２０）として上記［１］または［２］に記載の樹脂ケース（２０）が用いられており、
前記樹脂ケース（２０）の前記バスバ収容部（２２）に前記バスバ（１１）が収容され、
前記樹脂ケース（２０）の前記電線収容部（２３）に前記複数の電圧検出線（１３）が収容されている、
ことを特徴とするバスバモジュール（１０）。
［４］
直線的に配列された複数の電池（３）で構成された電池集合体（２）と、
前記電池集合体（２）に重ねて取り付けられると共に前記各電池（３）を互いに電気的に接続するバスバモジュール（１０）と、
を備える電源装置（１）において、
前記バスバモジュール（１０）として、上記［３］に記載のバスバモジュールを有している、
ことを特徴とする電源装置（１）。
【符号の説明】
【００６３】
１  電源装置
２  電池集合体
３  電池
４Ａ  正極（電極）
４Ｂ  負極（電極）
１０  バスバモジュール
１１  バスバ
１３  電圧検出線
２０  樹脂ケース
２２  バスバ収容部
２２ａ  上面開口
２３  電線収容部
２３ａ  上面開口
３７，３８，３９  被ロック部（ロック手段）
４２  第１カバー
４３  第２カバー
４５  第１ヒンジ
４６  第２ヒンジ
４７，４８，４９  ロック部（ロック手段）
５１  仮係止リブ（仮係止手段）
５２  仮係止斜面（仮係止手段）
【図１】
2018206672.tif 000003
【図２】
2018206672.tif 000004
【図３】
2018206672.tif 000005
【図４】
2018206672.tif 000006
【図５】
2018206672.tif 000007
【図６】
2018206672.tif 000008
【図７】
2018206672.tif 000009
【図８】
2018206672.tif 000010
【図９】
2018206672.tif 000011
【図１０】
2018206672.tif 000012
【図１１】
2018206672.tif 000013